(57)【要約】  【課題】  コンタクトピンを一定の位置に確実に装着してコネクタの品質を向上する。  【解決手段】ハウジング４に開穿された収容孔５に収容するコンタクトピン６の中間部に、凸部１０を形成する。そして、該コンタクトピン６の基部７を該ハウジング４の収容孔５に固定する際に、該コンタクトピン６の凸部１０が該収容孔５の内側面に当接して該コンタクトピン６と収容孔５の内側面とを一定の間隔に保持できるようにコネクタ１を形成する。【選択図】図１
2005071824.tif 000002
【特許請求の範囲】
【請求項１】
ハウジングの前後に開穿された収容孔にコンタクトピンを挿入すると共に、該収容孔の後部にて該コンタクトピンの基部を圧入して固定することにより、該コンタクトピンと収容孔の内側面との間に間隙を有して該コンタクトピンを該収容孔内に装着し、更に、該コンタクトピンに接続する端子を該収容孔に挿入して該コンタクトピンと該端子とを接触できるように構成したコネクタに於いて、該コンタクトピンの中間部適宜位置に凸部を形成し、該凸部が前記収容孔の内側面に当接して該収容孔の内側面と該コンタクトピンとの間に一定の間隙を保持できるように構成したことを特徴とするコネクタ。
【発明の詳細な説明】
【技術分野】
【０００１】
本発明はコネクタに関するものであり、特に、コンタクトピンの位置決めを安定して品質を向上するコネクタに関するものである。
【背景技術】
【０００２】
電子機器を相互に接続するコネクタにより、データや電力の送受信が可能となり、様々な電子機器を接続することにより当該電子機器の機能の向上が図られている。図３は従来のコネクタ１のソケット２にプラグ３を装着する状態を示す拡大断面図であり、図４は該プラグ３の正面図である。
【０００３】
該コネクタ１のプラグ３には方形状のハウジング４が合成樹脂にて形成され、更に、該ハウジング４には前後方向に収容孔５が開穿されている。そして、該収容孔５にはコンタクトピン６が収容されている。又、該コンタクトピン６は基部７が該収容孔５の後部の内側面に圧入されて固定されている。
【０００４】
一方、該コンタクトピン６は基部７より前方に延設され、且つ、該延設部８は前記収容孔５の中央部位に位置されている。そして、ソケット２をプラグ３に嵌合することにより、該ソケット２の端子９がプラグ３のコンタクトピン６に圧入して接続される。
【０００５】
然し乍ら、該プラグ３のコンタクトピン６の基部７をハウジング４の後部に固定する際には、該コンタクトピン６の延設部８と前記収容孔５の内側面との間に一定の間隙を有して該コンタクトピン６を固定することが困難であり、図３に示すように、該コンタクトピン６の延設部８に位置ズレを生じ、コネクタ１の品質を低下させる原因となっている。
【特許文献１】特開平１１−１２６６３６
【発明の開示】
【発明が解決しようとする課題】
【０００６】
上述したように、コネクタのコンタクトピンに位置ズレを生じることがあるので、例えばプラグの端子を接続する際には、挿入される該端子がコンタクトピンと衝突して湾曲され、該端子と該コンタクトピンとの接続に不良が生じることがある。従って、コネクタの品質を低下させる原因となっている。
【０００７】
そこで、コネクタのコンタクトピンを正確な位置に固定して接触不良を防止することにより、コネクタの品質を向上するために解決すべき技術的課題が生じてくるのであり、本発明は該課題を解決することを目的とする。
【課題を解決するための手段】
【０００８】
本発明は上記目的を達成するために提案されたものであり、ハウジングの前後に開穿された収容孔にコンタクトピンを挿入すると共に、該収容孔の後部にて該コンタクトピンの基部を圧入して固定することにより、該コンタクトピンと収容孔の内側面との間に間隙を有して該コンタクトピンを該収容孔内に装着し、更に、該コンタクトピンに接続する端子を該収容孔に挿入して該コンタクトピンと該端子とを接触できるように構成したコネクタに於いて、該コンタクトピンの中間部適宜位置に凸部を形成し、該凸部が前記収容孔の内側面に当接して該収容孔の内側面と該コンタクトピンとの間に一定の間隙を保持できるように構成したコネクタを提供するものである。
【発明の効果】
【０００９】
本発明のコネクタは、コンタクトピンの中間部に凸部を形成し、該凸部が該コンタクトピンを収容する収容孔の内側面に当接して該コンタクトピンと該収容孔の内側面との間に一定の間隙を保持できるように構成されている。
【００１０】
従って、該コンタクトピンの位置ズレを防止することができるので、例えばプラグのハウジングに装着された該コンタクトピンにソケットの端子を接続する際には、該ソケットの端子とプラグのコンタクトピンとの確実なる導通が可能となり、コネクタの品質を向上することができる。
【発明を実施するための最良の形態】
【００１１】
この発明の実施例を図１及び図２に従って詳述する。尚、説明の都合上、従来の技術についても同時に説明し、又、従来の技術と同一構成のものについては、同じ符号を使用するものとする。
【００１２】
図に於いて１はコネクタであり、ソケット２とプラグ３により構成されている。又、該プラグ３はハウジング４が合成樹脂にて方形上に形成され、且つ、該ハウジング４には該ハウジング４の前後方向を開穿して収容孔５が形成されている。そして、該収容孔５にコンタクトピン６が収容されている。
【００１３】
一方、該コンタクトピン６は、基部７を該収容孔５の後部に圧入されて固定され、且つ、該基部７より前方へ延設されている。そして、該延設部８と収容孔５の内側面との間に所定の間隙を有して該コンタクトピン６が装着される。更に、該コンタクトピン６の中間部には凸部１０が形成されている。
【００１４】
而して、該コンタクトピン６を装着する際には、該凸部１０を前記収容孔５の内側面を摺擦し乍ら基部７を該収容孔５の後部に圧入することにより、図１及び図２に示すように、該コンタクトピン６の延設部８と該収容孔５の内側面との間隙が一定且つ、所定の位置に保持される。
【００１５】
斯くして、形成されたプラグ３に前記ソケット２のハウジング１１を嵌合することにより、該ソケット２の端子９が該プラグ３の収容孔５に前方より侵入して該コンタクトピン６の延設部８に圧接する。
【００１６】
このときは、該コンタクトピン６が所定の位置であって、且つ、該収容孔５の内側面より一定の位置に装着されているので、該端子９の先端部が該コンタクトピン６の先端部と衝突して湾曲されるようなことはなくなり、確実に該端子９とコンタクトピン６とが導通される。従って、該コネクタ１の品質が向上する。
【００１７】
斯くして、例えばコンピュータに於いては、データが正確に送受信され、且つ、電力を安定して供給することができるので、該コンピュータの安全性を向上し、且つ、寿命を延長する。
【００１８】
尚、本発明は、本発明の精神を逸脱しない限り種々の改変を為すことができ、そして、本発明が該改変されたものに及ぶことは当然である。
【図面の簡単な説明】
【００１９】
【図１】ソケットにプラグを装着する状態を示すコネクタの拡大縦断面図である。（実施例１）
【図２】プラグの正面図である。
【図３】従来型のコネクタを示し、プラグをソケットに装着する状態を示すコネクタの拡大縦断面図である。
【図４】従来型のコネクタのプラグを示し、該プラグの正面図である。
【符号の説明】
【００２０】
１        コネクタ
２        ソケット
３        プラグ
４        ハウジング
５        収容孔
６        コンタクトピン
７        基部
８        延設部
９        端子
１０        凸部
【図１】
2005071824.tif 000003
【図２】
2005071824.tif 000004
【図３】
2005071824.tif 000005
【図４】
2005071824.tif 000006